(57)【特許請求の範囲】
【請求項１】
縁部に一般部から立ち上がった起立部を介して車外側へ上がった段部を有する内装材の基部と一体的に成形され、車体に固定するためのクリップを取り付け可能なクリップ取付座であって、
前記段部との間に前記クリップの端部を挿入可能な空間を形成しながら前記クリップを取り付け可能な頭部と、
前記空間を挟んで前記起立部及び前記段部から前記頭部へ繋がり該頭部を支持する第一及び第二の壁部とを備え、
前記基部と前記頭部との前記一般部側の間であって前記第一の壁部と前記第二の壁部との間には、前記クリップの端部を挿入可能な空間に繋がる開口が形成され、
前記頭部において前記開口に沿った縁部には、前記車外側へ膨出した膨出部が形成され、
前記第一の壁部と前記第二の壁部の少なくとも一方において前記開口に沿った縁部には、前記膨出部に繋がり前記空間とは反対方向へ膨出した第二膨出部が形成されていることを特徴とするクリップ取付座。
【請求項２】
縁部に一般部から立ち上がった起立部を介して車外側へ上がった段部を有する基部と、車体に固定するためのクリップを取り付け可能なクリップ取付座と、が一体的に成形された内装材であって、
前記クリップ取付座は、
前記段部との間に前記クリップの端部を挿入可能な空間を形成しながら前記クリップを取り付け可能な頭部と、
前記空間を挟んで前記起立部及び前記段部から前記頭部へ繋がり該頭部を支持する第一及び第二の壁部とを備え、
前記基部と前記頭部との前記一般部側の間であって前記第一の壁部と前記第二の壁部との間には、前記クリップの端部を挿入可能な空間に繋がる開口が形成され、
前記頭部において前記開口に沿った縁部には、前記車外側へ膨出した膨出部が形成され、
前記第一の壁部と前記第二の壁部の少なくとも一方において前記開口に沿った縁部には、前記膨出部に繋がり前記空間とは反対方向へ膨出した第二膨出部が形成されていることを特徴とする内装材。
【発明の詳細な説明】
【技術分野】
【０００１】
本発明は、車体に固定するためのクリップを取り付け可能なクリップ取付座、及び、このクリップ取付座を有する内装材に関する。
【背景技術】
【０００２】
鋼板パネルで車体が形成される自動車では、樹脂成形材料で成形された各種内装材にて鋼板パネルを覆うことにより、車室内が装飾され、車室内に防音性が付与され、車室内の安全性が高められている。例えば、ドアパネルの乗員室内側には、ドアトリム内装材が設置される。このドアトリム内装材の裏面には、車体への固定用のクリップを取り付けるためのクリップ取付部が設けられる。
【０００３】
特許文献１には、トリム本体の表面に形成される溝部と前記トリム本体の端末との間におけるトリム本体の裏面にクリップブラケットの脚部が支持されており、該クリップブラケットにより、トリム本体をドアパネルに取り付ける自動車用ドアトリムの取付構造が記載されている。クリップブラケットの頭部には、ドアパネルのインナーパネルへの取り付けを行うためのクリップが差し込まれる、差し込み孔が形成されている。
特許文献２には、頭部を支持する第一及び第二の壁部を備えるクリップ取付座が開示されている。
【先行技術文献】
【特許文献】
【０００４】
【特許文献１】特開２０００−８５３５５号公報
【特許文献２】特開２００８−１７４１８５号公報
【発明の概要】
【発明が解決しようとする課題】
【０００５】
特許文献１記載の技術では、クリップブラケットは、脚部の下端部がトリム本体の裏面に溶着されることによりトリム本体の裏面に支持される。従って、トリム本体にクリップブラケットを溶着する作業が必要である。
なお、単にクリップ取付部を内装材の基部と一体的に射出成形するだけでは、適度な強度と良好な外観とを兼ね備えたクリップ取付部を形成することができない。これは、クリップ取付部を厚くすると、樹脂成形材料の冷却遅れにより基部の表面側に所謂ヒケと呼ばれる小さな凹凸が生じたり、樹脂成形材料がその分無駄になったり、その分内装材が重くなったり、衝撃荷重を吸収する機能があるクリップ取付部の衝撃吸収性が低下したり、クリップの形状を変更することが必要になったりするためである。一方、クリップ取付部を薄くすると、クリップ取付部への樹脂成形材料の流れ込みが不十分となってクリップ取付部に欠肉が生じたり、クリップ取付部にクリップを取り付ける位置で生じるウェルドラインによりクリップ取付部が割れやすくなったりするためである。
【０００６】
適度な強度と良好な外観とを兼ね備えたクリップ取付部を形成するため、特許文献２記載のクリップ取付座には、基部から第二の壁部へ繋がり該第二の壁部から頭部への樹脂成形材料の流れを第一の壁部から頭部への樹脂成形材料の流れよりも促進させる材料導入部が設けられている。これにより、クリップ取付座にクリップを取り付ける位置でウェルドラインが生じないようになり、クリップ取付部の割れが防止される。
しかし、材料導入部を形成するには成形型の型開き方向や抜き角を考慮しなければならず、加工工程が煩雑すぎたり、クリップ取付座に材料導入部を設けることができなかったりすることがある。例えば、内装材の車外側へ上がった縁部にクリップ取付座を設ける場合、樹脂成形材料の流れを促進させるのに十分な大きさの材料導入部を設けるのが容易ではない。
【０００７】
以上を鑑み、本発明は、材料導入部が無くても適度な強度が得られるクリップ取付座を提供する目的を有している。
【課題を解決するための手段】
【０００８】
上記目的を達成するため、本発明は、縁部に一般部から立ち上がった起立部を介して車外側へ上がった段部を有する内装材の基部と一体的に成形され、車体に固定するためのクリップを取り付け可能なクリップ取付座であって、
前記段部との間に前記クリップの端部を挿入可能な空間を形成しながら前記クリップを取り付け可能な頭部と、
前記空間を挟んで前記起立部及び前記段部から前記頭部へ繋がり該頭部を支持する第一及び第二の壁部とを備え、
前記基部と前記頭部との前記一般部側の間であって前記第一の壁部と前記第二の壁部との間には、前記クリップの端部を挿入可能な空間に繋がる開口が形成され、
前記頭部において前記開口に沿った縁部には、前記車外側へ膨出した膨出部が形成され、
前記第一の壁部と前記第二の壁部の少なくとも一方において前記開口に沿った縁部には、前記膨出部に繋がり前記空間とは反対方向へ膨出した第二膨出部が形成されている態様を有する。
また、本発明の内装材は、上記基部と上記クリップ取付座とが一体的に成形された態様を有する。
【０００９】
本クリップ取付座の第一及び第二の壁部は起立部及び段部から頭部へ繋がり、この段部よりも低い一般部の側における第一の壁部と第二の壁部との間に開口が形成されている。頭部において、この開口に沿った一般部側の縁部は、上記膨出部が無ければ、この開口に隣接せず第一の壁部と第二の壁部とを結ぶ段部側の縁部よりも強度が弱くなる傾向がある。本クリップ取付座は、頭部の一般部側の縁部に車外側への膨出部が形成されているので、全体の強度を適度とすることが可能である。また、第一の壁部と第二の壁部の少なくとも一方において前記開口に沿った縁部には、膨出部に繋がり前記空間とは反対方向へ膨出した第二膨出部が形成されている。従って、本態様は、材料導入部が無くても適度な強度が得られるクリップ取付座を提供することができる。
【００１２】
なお、上述した態様は、クリップ取付座の形成方法、内装材の製造方法、等に適用可能である。
【発明の効果】
【００１３】
請求項１に係る発明によれば、材料導入部が無くても適度な強度のクリップ取付座を提供することができる。
【００１４】
請求項２に係る発明では、材料導入部が無くても適度な強度のクリップ取付座を有する内装材を提供することができる。
【図面の簡単な説明】
【００１５】
【図１】内装材の一例を車外側から見て示す側面図である。
【図２】図１に示す内装材１００を同図のＡ１の位置で断面視して示す垂直断面図である。
【図３】クリップ取付座の一例を示す斜視図である。
【図４】図３に示すクリップ取付座２０を別の方向から見て示す斜視図である。
【図５】クリップの一例を示す斜視図である。
【図６】図５に示すクリップ２００を側面から見て示す側面図である。
【図７】図３に示すクリップ取付座２０を同図のＡ２の位置で断面視して示す断面図である。
【図８】図３に示すクリップ取付座２０を同図のＡ３の位置から見て示す一部断面図である。
【図９】成形型を用いて内装材を製造する様子の一例を示す要部断面図である。
【図１０】成形型を用いて内装材を製造する様子の一例を示す要部断面図である。
【図１１】製造された内装材の断面構造の一例を示す要部断面図である。
【発明を実施するための形態】
【００１６】
（１）クリップ取付座を有する内装材の構造：
図１は本発明の一実施形態に係るクリップ取付座２０を有する内装材１００の外観を車外側から見て示している。クリップ取付座２０が設けられる内装材は、ドアトリムが好適であるものの、天井部内装材、ピラーガーニッシュ、等の内装材でもよい。前記ドアトリムは、運転席用ドアトリムでも、助手席用ドアトリムでも、後部座席用ドアトリムでもよい。本実施形態では、内装材１００がドアトリムであるとして説明する。
【００１７】
ドアトリム（１００）は、車体の一部を構成するドアパネルに対してクリップ２００により取り付けられて固定される。ドアトリム（１００）は、薄板状の基部１０とクリップ２００を取り付け可能なクリップ取付座２０とが少なくとも一体的に成形されて製造される。具体的には、図９，１０に示すように、基部１０を成形する部位から成形型３００に樹脂成形材料Ｍ１を射出して内装材１００を所要の形状に成形する。基部１０の厚みは、例えば、２．０〜６．０mm程度、より好ましくは３．０〜４．０mmとされる。基部１０における車室側の面１０ａには、意匠を良好にさせるため、適宜、絞模様が転写されたり、表皮材が貼付されたりしてもよい。また、車室側の面１０ａには、適宜、オーナメント、照明装置、小物入れ、ポケット、アシストグリップ、等のアクセサリが付加される。基部１０における車外側の面１０ｂには、クリップ取付座２０，２１やボス１４が形成されるとともに、適宜、各種の緩衝材、衝撃吸収材、防音材、等が部分的に設置される。本ドアトリム（１００）は、図１，２に示すように、ポケット一般部１１ａの車外側の面１０ｂにポケット部材（ポケット部）９０が取り付けられ、ポケット開口１１ｂから小物を出し入れ可能なポケットが形成されている。車室内の乗員は、このポケットを小物入れとして使用することができる。
【００１８】
本ドアトリム（１００）の基部１０は、図１〜４，７，８等に示すように、縁部１０ｃに一般部１１から立ち上がった起立部１２を介して車外側へ上がった段部１３を有する。ここで、図８は、一般部１１を破断してクリップ取付座２０等を示している。
一般部１１は、基部１０の大部分を占める部位であり、車外側を上にしたときに車種に応じた凹凸を有する前提で基部１０の凹部分の底部側となる部位である。一般部１１には、上述したポケット一般部１１ａ、このポケット一般部１１ａの上側とされるポケット開口１１ｂ、ボス１４、起立部１２から離れたクリップ取付座２１、等が設けられる。ポケット部材９０は、基部１０及びクリップ取付座２０が射出成形された後、ポケット一般部１１ａの車外側の面に取り付けられて固定される。
【００１９】
起立部１２は、一般部１１の外側に設けられ、一般部１１から立ち上がった部位とされている。起立部１２は、一般部１１の全周にわたって設けられてもよいし、一般部１１の全周のうち一部にのみ設けられてもよい。いずれの場合も、本発明に含まれる。一般部１１と起立部１２との境界部分は、面取り状等の曲面形状とされてもよい。一般部１１と起立部１２とのなす角度は、９０°でもよいものの、６０〜７５°程度、さらには４５〜８９°程度でもよい。ここで、一般部１１と起立部１２に凹凸がある場合、例えば、一般部１１の略平坦部分と起立部１２の略平坦部分とのなす角度を一般部１１と起立部１２とのなす角度とすればよい。
【００２０】
段部１３は、起立部１２の外側に設けられ、一般部１１から車外側へ上がった部位とされている。段部１３は、基部１０の全周にわたって設けられてもよいし、基部１０の全周のうち一部にのみ設けられてもよい。いずれの場合も、本発明に含まれる。起立部１２と段部１３との境界部分は、面取り状等の曲面形状とされてもよい。起立部１２と段部１３とのなす角度は、９０°でもよいものの、６０〜７５°程度、さらには４５〜８９°程度でもよい。ここで、起立部１２と段部１３に凹凸がある場合、例えば、起立部１２の略平坦部分と段部１３の略平坦部分のなす角度を起立部１２と段部１３のなす角度とすればよい。また、一般部１１と段部１３とのなす角度は、０°でもよいものの、１５〜３０°程度、さらには１〜４５°程度でもよい。
図３，４等に示すクリップ取付座２０は、一般部１１と起立部１２と段部１３に跨って設けられている。
【００２１】
図３，４等に示すクリップ取付座２０は、内装材１００の基部１０を成形する部位から成形型３００に樹脂成形材料Ｍ１を射出して該基部１０と一体的に成形され、クリップ２００を取り付け可能とされている。クリップ取付座２０は、概略、クリップ２００を取り付け可能な頭部３０、該頭部３０を支持する第一及び第二の壁部４０，５０、を備える矢倉形とされる。本クリップ取付座は、さらに、奥壁部７０が設けられている。樹脂成形材料の冷却遅れにより基部の表面側にヒケと呼ばれる凹凸が生じないようにするため、クリップ取付座の各部は、厚くすることができず、例えば、基部の厚みよりも薄い２．０mm以下、より好ましくは０．５〜１．８mmの厚み、または、基部の厚みの３０〜５０％程度の厚みとされる。
頭部３０は、第二の壁部５０との境界部分３０ｃからクリップ２００の下フランジ（端部）２０５を挿入して該クリップの下フランジ２０５を貫通させて係止させる係止用穴３６が形成され、段部１３との間にクリップの下フランジ２０５を挿入可能な空間ＳＰ１が形成され、所定の取付位置Ｌ１でクリップ２００を取り付け可能である。
【００２２】
内装材１００を車体に固定するためのクリップ２００は、図５，６に示すように、ドアパネル側から内装材側へ順に、弾性を有するクリップ頭部２０１、皿状のシール片２０２、円板状の上フランジ２０３、円柱状の脚部２０４、円板状の下フランジ２０５、を有する形状とされている。クリップ２００は、例えば、樹脂製とされ、熱可塑性樹脂等の樹脂成形材料を成形することにより形成される。下フランジ２０５がクリップ取付座の挿入口５７から係止用穴３６に挿入されると、両フランジ２０３，２０５が頭部３０を挟みながら脚部２０４が係止用穴３６を貫通した状態となり、クリップ２００がクリップ取付座２０に取り付けられる。
基部の裏面（１０ｂ）に対して間隔を空けて上述したようなクリップを複数装着し、これらのクリップを相対するドアパネルに形成された取付孔に取り付けると、ドアトリム（１００）がドアパネルに取り付けられて固定される。ドアパネルがアウターパネルとインナーパネルとを有する場合、インナーパネルに取付孔が形成され、該取付孔にクリップが取り付けられる。
【００２３】
本内装材を成形するのに適する成形装置としては、公知の射出成形機を用いることが可能であり、形態（堅型、横型）や駆動方式（油圧式、電動式等）は問わない。また、内装材を軽量化させるため基部を発泡させて成形する場合、例えば、不活性ガスの注入圧力を一定圧力に制御しながら不活性ガスを樹脂成形材料に注入するガス注入装置を有する発泡射出成形機が用いられてもよい。
【００２４】
図９は、射出成形機に設けられる成形型３００の要部の垂直断面が示されている。本成形型３００は、互いに近接及び離反可能な一対の型３１０，３２０と、クリップ取付座２０を成形するためのスライド型３３０とを有している。本成形型３００は、発泡剤を含む樹脂成形材料を充填したキャビティＣＡ１を途中で広げて発泡射出成形体を成形するための成形型である。このような成形は、コアバック成形とも呼ばれる。本成形型３００は、下型３１０が固定された金型とされ、上型３２０が上下方向へ往復移動可能な金型とされ、スライド型が上下方向から水平方向へずれた所定の方向へ往復移動可能な金型とされている。むろん、成形型は、上型と下型の両方が上下方向へ往復移動可能なものでもよいし、下型のみ上下方向へ往復移動可能なものでもよいし、互いに水平方向へ近接及び離反可能な一対の型を有するものでもよい。
下型３１０には、樹脂成形材料Ｍ１をキャビティＣＡ１内に射出するためのゲート３１２が設けられている。ゲート３１２は、基部１０を成形する部分に形成され、例えば、図１に示す基部１０のゲート位置１６に対応する位置に設けられる。
スライド型３３０は、下型３１０を貫通したスライド型駆動機構３３２により上記方向へ往復駆動される。
【００２５】
樹脂成形材料Ｍ１を構成する樹脂としては、良好な成形性や成形後の良好な形状保持性等の特性が得られる観点から熱可塑性樹脂（合成樹脂の一種）が好ましく、合成樹脂にゴム成分等の軟質成分を配合してエラストマー的な性質を高めた改質樹脂等でもよい。
熱可塑性樹脂としては、オレフィン系樹脂やオレフィン系熱可塑性エラストマー等を用いることができ、単独重合体でも、２種以上のモノマーを共重合させた共重合体でも、オレフィンと不飽和カルボン酸とを共重合させた共重合体でも、これらの組み合わせでもよく、具体的には、ポリプロピレン、ポリエチレン、アクリロニトリルブタジエンスチレン樹脂（ＡＢＳ樹脂）、ポリエチレンテレフタレート（ＰＥＴ）、ポリアミド、ポリスチレン、これらの組み合わせ、これらの樹脂にゴム成分を配合した改質樹脂、等を用いることができる。溶融可能な樹脂成形材料の融点は、例えば１００〜３００℃とされる。
面積が大きくて薄い基部の内装材を成形する場合、成形型で形成されるキャビティの中で樹脂成形材料の流れをよくするため、メルトインデックスの大きい樹脂（例えば、ＭＩが７０ｇ／10min以上）が用いられる。
【００２６】
樹脂成形材料Ｍ１に含ませる発泡剤には、常温１気圧で気体の不活性ガスや揮発性有機化合物等の物理発泡剤、加熱により分解または反応してガスを発生する化学発泡剤、これらの組み合わせ、を用いることができる。不活性ガスには、二酸化炭素、窒素、アルゴン、ヘリウム、ネオン、これらの組み合わせ、等を用いることができる。揮発性有機化合物には、ブタンやペンタン等の炭化水素を発生させる揮発性発泡剤等を用いることができる。化学発泡剤には、炭酸アンモニウムや炭酸水素ナトリウム等の炭酸ガス等を発生させる無機系発泡剤、ポリカルボン酸やアゾ化合物等の有機化合物のガスを発生させる有機系発泡剤、等を用いることができる。
樹脂成形材料に不活性ガスを注入する場合、注入する不活性ガスの圧力は、例えば、０．５〜２０MPaとされる。
【００２７】
樹脂成形材料Ｍ１を樹脂と発泡剤のみで構成してもよいが、樹脂成形材料Ｍ１に添加剤を含ませてもよい。添加剤としては、タルク等の充てん材、核剤、顔料、滑剤、酸化防止剤、熱安定剤、紫外線吸収剤、帯電防止剤、これらの組み合わせ、等を用いることができる。樹脂成形材料中の各材料の配合割合は、例えば、樹脂を５０重量％以上、添加剤を５０重量％未満とすることができる。
【００２８】
本クリップ取付座２０は、スライド型３３０を有する成形型３００で形成されるキャビティＣＡ１に樹脂成形材料Ｍ１を射出して成形される。成形後、スライド型３３０は、段部１３から一般部１１の方へ退避する。従って、図３，４等に示すように、基部１０と頭部３０との一般部１１側の間であって第一の壁部４０と第二の壁部５０との間には、クリップの下フランジ２０５を挿入可能な空間ＳＰ１に繋がる開口ＯＰ１が形成される。むろん、スライド型３３０は、開口ＯＰ１に合わせた形状とされ、基部１０と頭部３０との間であって壁部４０，５０の間から空間ＳＰ１へ進退可能に進出する型とされる。
【００２９】
クリップ取付座２０の頭部３０は、車外側から見たときに係止用穴３６を除く表面が略平坦で外形が略四角形となる板状に形成され、段部１３から所定の間隔を空けて配置された天板とされている。本頭部３０は一般部１１及び段部１３の裏面（１０ｂ）と略平行に配置されているが、このように配置される必然性は無く、頭部を取り付け相手となる車体パネルと略平行にすることが多い。係止用穴３６は、頭部３０の中央部で略円形に形成され、円形部分３６ａから第二の壁部５０との境界部分３０ｃにある挿入口５７へ繋がる部分３６ｂが設けられている。むろん、係止用穴は、頭部で略楕円形等に形成されてもよい。円形部分３６ａの直径は、部品の加工精度や熱収縮等による寸法のばらつきを考慮したうえで、クリップの脚部２０４の直径よりも大きく、クリップの両フランジ２０３，２０５の直径よりも小さくされる。また、円形部分から挿入口５７へ繋がる部分３６ｂの幅は、脚部２０４の直径よりも大きい範囲で円形部分３６ａの直径よりも小さくされている。なお、挿入口５７は、境界部分３０ｃから車室側に設けられ、幅がクリップの下フランジ２０５の直径よりも大きくされている。
【００３０】
また、頭部３０には、境界部分３０ｃに接する角部から車外方向ＤＲ１に向かって凸とされた一対の凸部３４，３４が形成されている。本凸部３４，３４は、頭部３０の車外側の面から半球状に膨出した形状とされ、クリップ取付座２０からクリップ２００が抜けないようにさせる機能を有する。凸部３４，３４の高さは、例えば、０．５〜２．０mmとされる。クリップの下フランジ２０５が挿入口５７から係止用穴３６に差し入れられるとき、上フランジ２０３が弾性変形の後に凸部３４，３４を乗り越えてクリップ２００の下フランジ側が頭部３０に係止される。その後、凸部３４，３４が抜け止めとなって、クリップ２００の下フランジ側は頭部３０から容易には抜け落ちない。
さらに、頭部３０において開口ＯＰ１に沿った一般部側の縁部３０ａには、空間ＳＰ１とは反対方向となる車外側（車外方向ＤＲ１）へ膨出した膨出部６１が形成されている。
【００３１】
壁部４０，５０は、外形が略四角形となる板状に形成され、頭部３０において相対向する縁部３０ｂ，３０ｃから基部１０に向けて連続的に垂下した立壁とされている。すなわち、壁部４０，５０は、空間ＳＰ１を挟んで基部１０から頭部３０へ繋がっており、段部１３から所定の高さで頭部３０を支持している。なお、クリップ取付座の強度を向上させるため、壁部４０，５０の間隔は、基部側よりも頭部側の方が狭くされている。
本クリップ取付座２０は基部縁部１０ｃの近くに配置されるため、壁部４０，５０は、壁面が内装材１００の内外方向に沿った向きとされて起立部１２から段部１３にかけて設けられる。従って、壁部４０，５０は、空間ＳＰ１を挟んで起立部１２及び段部１３から頭部３０へ繋がり該頭部３０を支持する。すなわち、壁部４０，５０は、起立部１２及び段部１３から頭部３０に向かって延出するとともに、起立部１２から一般部１１の方向に向かって延出しているとも言える。図３，４等に示す壁部４０，５０は、一般部１１にも繋がっている。従って、壁部４０，５０は、一般部１１から頭部３０に向かって延出しているとも言える。
また、一般部１１に設けられるポケット部材９０の近くにクリップ取付座２０が配置されるため、壁部４０，５０は、ポケット部材９０の近傍に配置されることになる。
【００３２】
第二の壁部５０には、頭部との境界部分３０ｃの近傍で車室側へ凹んだ開口（挿入口５７）が形成されている。上述したように、挿入口５７は、クリップ２００を差し入れるときに下フランジ２０５を通過させることが可能とされている。
さらに、第二の壁部５０において開口ＯＰ１に沿った一般部側の縁部５０ａには、膨出部６１に繋がり空間ＳＰ１とは反対方向ＤＲ３へ膨出した第二膨出部６２が形成されている。
【００３３】
奥壁部７０は、外形が略四角形となる板状に形成され、頭部３０において開口ＯＰ１に対向する縁部３０ｄから段部１３に向けて連続的に垂下した立壁とされている。すなわち、奥壁部７０は、段部１３から頭部３０へ繋がっており、段部１３から所定の高さで頭部３０を支持している。また、クリップ取付座２０の強度を向上させるため、図７に示すように、奥壁部７０から基部縁部１０ｃの起立部１３ａへと繋がる連結リブ７１を設けてもよい。奥壁部７０や連結リブ７１は、壁部４０，５０が外力により図８の左右方向に倒れることを防ぐために設けられ、クリップ取付座の強度が確保されている場合には省略可能である。
なお、空間ＳＰ１を挟んで奥壁部７０とは反対側の部位には、スライド型が挿入されるため、壁部が設けられない。
【００３４】
ところで、内装材の基部を成形する部位から成形型に樹脂成形材料を射出して該基部と一体的にクリップ取付座を成形するとき、キャビティの中で基部を成形する部分からクリップ取付座を成形する部分へ樹脂成形材料が流れ込む。ここで、基部の表面側にヒケと呼ばれる凹凸が生じないようにするため、クリップ取付座の各部はある程度薄くされている。
【００３５】
内装材を成形するとき、溶融状態（液状）で流れる樹脂成形材料の経路は、基部１０から第一の壁部４０を経て頭部３０に流れる第一の経路と、基部１０から第二の壁部５０を経て頭部３０に流れる第二の経路とがある。従って、頭部３０の略中間位置で両経路の樹脂成形材料がぶつかり、樹脂成形材料の温度も低下しているので、係止用穴３６に繋がったウェルドラインＷＬ１が生じる。すなわち、クリップを取り付ける位置でクリップ取付座２０にウェルドラインＷＬ１が生じるため、上記膨出部６１が無ければ、この部分（ＷＬ１）でクリップ取付座２０の強度が低下して割れやすくなる傾向がある。また、クリップ取付座が薄くされていると、キャビティ内でクリップ取付部への樹脂成形材料の流れ込みが不十分となり、上記膨出部６１が無ければ、この部分で強度が低下することがある。
ここで、本発明に適用されるウェルドラインは、目視可能なウェルドラインに限定されず、Ｘ線検査等の電磁波による検査により検出されるウェルドライン、コンピュータ解析（ＣＡ）により得られるウェルドライン、等が含まれる。
【００３６】
特開2008-174185号公報に記載されるような材料導入部は、樹脂成形材料の流れを促進させるのに十分な大きさとすることができればクリップ取付座を適度な強度とするために設けてもよい。しかし、車外側へ上がった段部にかけてクリップ取付座を設ける場合、樹脂成形材料の流れを促進させるのに十分な大きさの材料導入部をクリップ取付座に追加するためのスペースが無い。また、なるべく大きい材料導入部を設けようとすると、型構造や加工工程が複雑化してしまう。
【００３７】
さらに、ウェルドラインによるクリップ取付座の強度不足に対する通常考えられる対策として、ゲート位置（１６）をクリップ取付座の近くに設定することが考えられる。しかし、図１，２に示すように、ドアトリム（１００）のポケットの近傍にクリップ取付座２０が配置される場合、ポケット一般部１１ａは、車室側の内壁として射出成形されるため、直接又は表皮材を介して乗員の手に触れる部位となる。このポケット一般部１１ａに射出成形用のゲート１６を配置すると、ゲートカット部においてセル状態の発泡層の表面が露出して手触りが良くなく品質が低下してしまう。このことから、ポケット一般部１１ａの近傍に配置されるクリップ取付座２０においては、近くにゲート位置（１６）を設定することができず、例えば、左右のゲート位置１６ａ，１６ｂから流れてくる樹脂成形材料がクリップ取付座２０でぶつかりウェルドラインＷＬ１が発生してしまう。
【００３８】
そこで、本クリップ取付座２０は、頭部３０の一般部側の縁部３０ａに膨出部６１を形成している。
図７等に示すように、本クリップ取付座２０の壁部４０，５０は起立部１２及び段部１３から頭部３０へ繋がり、この段部１３よりも低い一般部１１の側における壁部４０，５０の間に開口ＯＰ１が形成されている。頭部３０において、この開口ＯＰ１に沿った一般部１１側の縁部３０ａは、膨出部６１が無ければ、ウェルドラインＷＬ１により、開口ＯＰ１に隣接せず壁部４０，５０を結ぶ段部１３側の縁部３０ｄよりも強度が弱くなる傾向がある。本クリップ取付座２０は、頭部３０の一般部側の縁部３０ａに車外方向ＤＲ１へ膨出した膨出部６１が形成されているので、ウェルドラインＷＬ１の生じる頭部３０の開口ＯＰ１側が補強され、全体の強度を適度とすることが可能である。また、膨出部６１が頭部３０から車室方向ＤＲ２ではなく車外方向ＤＲ１へ膨出しているので、スライド型を用いて射出成形することができ、膨出部６１の成形が容易である。
【００３９】
膨出部６１は、頭部３０において開口ＯＰ１に隣接し壁部４０，５０を結ぶ一般部側の縁部３０ａから車外側へ短く延出している。膨出部６１の延出方向は、頭部３０の表面と略垂直な車外方向ＤＲ１とされている。膨出部６１は、壁部４０，５０を結ぶ方向に長手方向ＤＲ５を向けた長尺状とされ、開口ＯＰ１に沿って形成されている。これにより、膨出部６１は、頭部３０の略中心において一般部１１と段部１３とを結ぶ向き（内装材の内外方向ＤＲ４）に生じる場合のウェルドラインＷＬ１と略直交する。この場合のウェルドラインＷＬ１は、頭部の一般部側縁部３０ａのほぼ全てにわたって長尺状の膨出部が形成されていると該膨出部の略中心を通る。むろん、長尺状の膨出部は、頭部の一般部側縁部３０ａの全てにわたって形成されてもよいし、一般部側縁部３０ａの一部にのみ形成されてもよい。
なお、略直交する長尺状の膨出部６１とウェルドラインＷＬ１とのなす角度は、４５〜１３５°（より好ましくは６０〜１２０°、さらに好ましくは７５〜１０５°）の範囲が含まれる。
【００４０】
膨出部６１は、頭部の縁部３０ａに沿って形成されているので、頭部３０における車外側の面の大部分を平滑面とすることができ、クリップの端部を係止用穴３６に差し込む際の妨げとなり難い。膨出部６１は頭部３０の表面から略垂直に膨出する形状であるため、膨出部６１を形成するために特別な追加の加工工程や型のスライド構造などを必要とせず、クリップ取付座の設定部位や周辺形状によって制約を受け難い。
【００４１】
膨出部６１は、内装材の内外方向ＤＲ４の長さとなる厚み（Ｗとする）を０．５〜３．０mm程度（より好ましくは１．０〜２．０mm程度）、車外方向ＤＲ１の長さとなる高さ（Ｈとする）を０．５〜２．０mm程度（より好ましくは０．７〜１．３mm程度）、長手方向ＤＲ５の長さ（Ｌとする）を１０．０〜３０．０mm程度（より好ましくは１５．０〜２５．０mm程度）とすることができる。厚みＷや高さＨや長さＬを前記範囲内にすると、クリップとの干渉を避けながらクリップ取付座の強度をより好ましくさせることができる。
膨出部６１の形状は、図３，４等に示すような略直方体とすると略均等に頭部３０を保持することができるため好適であるものの、一部にテーパを設けたり断面を台形形状としたりすること等もできる。また、長尺状の膨出部６１を屈曲させたり曲線状としたりすること等もできる。
【００４２】
さらに、第二の壁部５０において開口ＯＰ１に隣接し基部１０と頭部３０とを結ぶ縁部５０ａに、膨出部６１に繋がり空間ＳＰ１とは反対方向ＤＲ３へ膨出した第二膨出部６２を形成することもできる。第二の壁部５０には挿入口５７が形成されているので、クリップ取付座２０は、第一の壁部４０側の強度と比べて第二の壁部５０側の強度が低下しがちである。第二膨出部６２は、クリップ取付座２０の挿入口５７を有する側に形成されているため、挿入口５７を有する第二の壁部５０側を補強する。また、第二膨出部６２が頭部３０から車室方向ＤＲ２ではなく車外方向ＤＲ１へ膨出しているので、スライド型を用いて射出成形することができ、第二膨出部６２の成形が容易である。
空間ＳＰ１とは反対方向ＤＲ３へ短く延出した第二膨出部６２は、第二の壁部の一般部側縁部５０ａに沿った長尺状とされ、開口ＯＰ１に沿って形成されている。むろん、長尺状の第二膨出部は、壁部の一般部側縁部の全てにわたって形成されてもよいし、一般部側縁部の一部にのみ形成されてもよい。
【００４３】
第二膨出部６２は、基部１０と頭部３０とを結ぶ方向において同じ厚みとされてもよいが、頭部３０側を厚くし、基部１０側を薄くしてもよい。図８等に示す第二膨出部６２は、基部１０まで延びることなく壁部５０の途中位置で途切れるように頭部３０側から基部１０側に向かって徐々に薄くされている。第二膨出部６２は、内装材の内外方向ＤＲ４の長さとなる厚みを０．５〜３．０mm程度、空間の反対方向ＤＲ３の長さとなる高さを０．５〜２．０mm程度、長手方向の長さを１０．０〜５０．０mm程度とすることができる。第二膨出部６２の形状は、一部にテーパを設けたり断面を台形形状としたりすること等もできる。
本第二膨出部６２は、頭部３０側で膨出部６１と結合している。これにより、頭部３０にクリップ端部（２０５）の係止用穴３６が形成されたクリップ取付座２０の全体強度が効率的に補強され、該クリップ取付座２０の強度をより適切とすることができる。
【００４４】
（２）クリップ取付座を有する内装材の製造方法、作用、及び、効果：
次に、図９〜１１を参照して、発泡射出成形体とされた本内装材の製造方法の各工程を説明する。なお、樹脂成形材料を構成する樹脂として、熱可塑性樹脂を用いるものとする。
まず、スライド型駆動機構３３２にてスライド型３３０を下型３１０の所定位置に収容させ、型開き状態にある一対の型３１０，３２０を閉じ、キャビティＣＡ１を形成する。図９の上段に示すように、移動型である上型３２０は最も下がった所定の近接位置Ｌ１１にあり、キャビティＣＡ１の上下方向の厚み（d1とする）は成形後の基部１０の厚みよりも小さくされている。また、スライド型３３０は、クリップ取付座内に進出した状態とされている。従って、キャビティＣＡ１は、進出したスライド型３３０と近接した一対の型３１０，３２０で形成されている。
【００４５】
ここで、発泡剤を含む樹脂成形材料Ｍ１は融点（ＭＰとする）以上の高温の液状とされ、成形型３００は融点ＭＰより低い温度（例えば３０〜８０℃）にされる。なお、樹脂成形材料を融点以上に加熱して溶融状態にすれば、高温の液状にすることができる。例えば、熱可塑性樹脂に融点１６０℃のポリプロピレンを用いる場合、樹脂成形材料を１７０〜２３０℃程度に加熱してポリプロピレンを溶融させることができる。また、樹脂成形材料には、予め分解ガスを発生する化学発泡剤を混入させておくか、射出成形機に付加された圧入装置で不活性ガス等の物理発泡剤を圧入させておく。
【００４６】
次に、溶融状態の樹脂成形材料Ｍ１を、例えば、射出圧１００〜２００MPa、充填時間０．５〜５秒で、ゲート３１２からキャビティＣＡ１内に射出して充填する（ステップ１）。ゲート３１２は、基部１０となる部分のキャビティＣＡ１ａに配置されており、クリップ取付座２０となる部分のキャビティＣＡ１ｂには配置されていない。射出圧、充填時間は、主に射出する樹脂成形材料の量、すなわち、内装材の大きさによって増減する。射出された樹脂成形材料は、キャビティＣＡ１内で基部１０の部分（ＣＡ１ａ）からクリップ取付座２０の部分（ＣＡ１ｂ）へと移動し、キャビティＣＡ１の全体に回り込む。なお、クリップ取付座の各部が薄いので、樹脂成形材料はキャビティＣＡ１内で基部の部分（ＣＡ１ａ）から先に広がり、基部の部分に充填された後にクリップ取付座の部分（ＣＡ１ｂ）に流れ込む傾向がある。
以上により、壁部４０，５０の部分から流れてくる樹脂成形材料は、頭部３０でぶつかる。従って、図３，４に示すように、頭部３０には、壁部４０，５０との境界部分３０ｂ，３０ｃに並行するように縁部３０ａ，３０ｄと係止用穴３６とに繋がるウェルドラインＷＬ１が形成される。また、樹脂成形材料の融点よりも低い温度の成形型３００に接触した表面の樹脂成形材料は、固化してスキン層が形成され始める。一方、スキン層よりも内側にある樹脂成形材料は、溶融状態を維持している。
【００４７】
樹脂成形材料を射出してから所定の時間が経過した後、一対の型３１０，３２０を所定の離間位置Ｌ１２まで相互に離間させ、キャビティＣＡ１の容積を拡張させる（ステップ２）。このとき、キャビティＣＡ１の上下方向の厚み（d2とする）は、ほぼ成形後の基部１０の厚みとされている。図９に示す下型３１０は固定型とされているので、上型３２０がd2−d1だけ上方へ移動する。すると、スキン層よりも内側で樹脂成形材料中の発泡剤が発泡し、多数のミクロの気泡が形成される。その結果、図１１の断面図に示すように、基部１０では、発泡セルを多数有する発泡層Ｍ２が表面のスキン層Ｍ３，Ｍ４どうしの間に形成される。ここで、発泡層Ｍ２の厚みは１．０〜４．０mm程度とされ、スキン層Ｍ３，Ｍ４の厚みはそれぞれ０．５〜１．０mm程度とされる。
型３１０，３２０を離間位置Ｌ１２まで離間させてから所定の時間が経過した後、型３１０，３２０を所定の型開き位置Ｌ１３まで相互に開き、キャビティを開放する（ステップ３）。図１０では、上型３２０が上方へ移動したことが示されている。
【００４８】
その後、スライド型駆動機構３３２にてスライド型３３０を下型３１０から進出させてクリップ取付座内から退避させる（ステップ４）。そして、成形された内装材１００が取り出されると、一連の製造サイクルが終了する。
以上により、キャビティＣＡ１に樹脂成形材料を射出して一対の型３１０，３２０を離間させてクリップ取付座と基部とを一体的に成形した内装材１００が製造される。すなわち、クリップ取付座２０は、成形型３００で形成されるキャビティＣＡ１に発泡剤が含まれる樹脂成形材料Ｍ１を射出し基部１０となる部分のキャビティＣＡ１ａを拡張させて形成した発泡層Ｍ２を有する基部１０と一体的に成形される。形成された基部の裏面（１０ｂ）には、図１に示すように、ゲート位置１６にゲート３１２の跡が残り、クリップ取付座内に挿入していたスライド型３３０の位置１８に該スライド型の跡が残る。
【００４９】
上述した製造方法で形成されるクリップ取付座２０は、図３，４に示すように、一般部１１と段部１３とを結ぶ内外方向ＤＲ４に沿うようにウェルドラインＷＬ１の生じる頭部３０の一般部側縁部３０ａにウェルドラインＷＬ１と交わる車外側への膨出部６１が形成されている。該膨出部６１が設けられていることにより、ウェルドラインＷＬ１による強度低下が抑制される。従って、頭部３０にウェルドラインＷＬ１が生じていてもクリップ取付座全体の強度を適度とすることができ、頭部３０のひび割れといった不具合の発生を可及的に少なくすることができる。
また、段部１３よりも低い一般部１１の側に形成された開口ＯＰ１に沿った一般部側縁部３０ａに上記膨出部６１が形成されているので、ウェルドラインＷＬ１の生じるクリップ取付座２０において、段部１３側の強度よりも弱くなる傾向のある一般部１１側の強度が段部１３側と比べて向上する。これにより、材料導入部が無くてもクリップ取付座全体の強度を適度とすることができる。さらに、挿入口５７を有する第二の壁部５０の一般部側縁部５０ａに第二膨出部６２が膨出部６１に繋がって形成されているので、頭部にクリップ端部の係止用穴が形成されたクリップ取付座の全体強度を適度とすることができる。
【００５０】
なお、発泡剤を含む樹脂成形材料を発泡させて成形して得られるクリップ取付座は、発泡剤を含まない樹脂成形材料で成形して得られるクリップ取付座よりも強度が低下する傾向にある。特に、車外側へ上がった段部にかけてクリップ取付座を形成する場合、上述した膨出部が無ければ、発泡材料を用いることによる強度低下を補うことができなかったり、補うことができても多大な工数やコストアップを招いたりする。従って、クリップ取付座２０に例示される本技術は、特に、樹脂成形材料を発泡させて成形して得られるクリップ取付座に適用するのに好適である。そして、製造される内装材が発泡成形体とされるので、内装材を軽量化させることができる。
むろん、発泡剤を含まない樹脂成形材料で成形して得られるクリップ取付座も、本発明に含まれる。
【００５１】
（３）変形例：
本発明は、種々の変形例が考えられる。
例えば、同じ内装材に膨出部の有るクリップ取付座と膨出部の無いクリップ取付座とが混在していても、この内装材は本発明に含まれる。
上述した頭部、第一の壁部、第二の壁部、奥壁部は、板状であると成形が容易である点で好適であるものの、板状から外れる形状であっても本発明の基本的な効果が得られる。また、第一の壁部、第二の壁部、奥壁部は、基部を補強するリブに繋がっていてもよい。
【００５２】
図８の二点鎖線で示すように、第一の壁部４０の一般部側縁部４０ａに第二膨出部６３が形成されてもよい。この第二膨出部６３は、膨出部６１に繋がっていてもよい。第一の壁部４０に第二膨出部６３が設けられる場合において、第二の壁部５０に第二膨出部６２は設けられてもよいし設けられなくてもよい。
第一及び第二の壁部は、一般部１１に繋がっていなくてもよい。この場合、壁部４０，５０の少なくとも一方において開口ＯＰ１に隣接し起立部１２と頭部３０とを結ぶ縁部に第二膨出部が形成されてもよい。
【００５３】
なお、クリップ取付座に奥壁部を設けることは必須ではない。
むろん、独立請求項に係る構成要件のみからなるクリップ取付座、この形成方法、内装材、この製造方法、等でも、上述した基本的な作用、効果が得られる。
【００５４】
以上説明したように、本発明によると、種々の態様により、材料導入部が無くても適度な強度が得られるクリップ取付座を提供する技術等を提供することができる。
また、上述した実施形態及び変形例の中で開示した各構成を相互に置換したり組み合わせを変更したりして本発明を実施することも可能であり、公知技術並びに上述した実施形態及び変形例の中で開示した各構成を相互に置換したり組み合わせを変更したりして本発明を実施することも可能である。従って、本発明は、上述した実施形態や変形例に限られず、公知技術並びに上述した実施形態及び変形例の中で開示した各構成を相互に置換したり組み合わせを変更したりした構成等も含まれる。
【符号の説明】
【００５５】
１０…基部、１０ａ…車室側の面、１０ｂ…車外側の面、１０ｃ…縁部、
１１…一般部、１１ａ…ポケット一般部、１１ｂ…ポケット開口、
１２…起立部、１３…段部、
１４…ボス、１６，１６ａ，１６ｂ…ゲート位置、１８…スライド型の位置、
２０…クリップ取付座、
３０…頭部、３０ａ，３０ｄ…縁部、３０ｂ，３０ｃ…境界部分、３６…係止用穴、
４０…第一の壁部、４０ａ…縁部、
５０…第二の壁部、５０ａ…縁部、５７…挿入口、
６１…膨出部、６２，６３…第二膨出部、
７０…奥壁部、
９０…ポケット部材（ポケット部）、
１００…内装材、
２００…クリップ、２０５…下フランジ（端部）、
３００…成形型、
ＣＡ１…キャビティ、ＣＡ１ａ…基部となる部分のキャビティ、
ＣＡ１ｂ…クリップ取付座となる部分のキャビティ、
ＤＲ１…車外方向、ＤＲ２…車室方向、ＤＲ３…空間の反対方向、
ＤＲ４…内外方向、ＤＲ５…膨出部の長手方向、
Ｌ１…所定の取付位置、
Ｍ１…樹脂成形材料、Ｍ２…発泡層、Ｍ３，Ｍ４…スキン層、
ＯＰ１…開口、ＳＰ１…空間、ＷＬ１…ウェルドライン。
【図１】
0005718106.tif 000002
【図２】
0005718106.tif 000003
【図３】
0005718106.tif 000004
【図４】
0005718106.tif 000005
【図５】
0005718106.tif 000006
【図６】
0005718106.tif 000007
【図７】
0005718106.tif 000008
【図８】
0005718106.tif 000009
【図９】
0005718106.tif 000010
【図１０】
0005718106.tif 000011
【図１１】
0005718106.tif 000012